(57)【要約】【課題】  引出箱の収納スペースを増加させると共に、身づくろいする小物類を手の届き易い場所に並べて配置できるようにすること。【解決手段】  前面に開閉自在な扉４が設けられたキャビネット１の上部に天板３を載設し、天板３と扉４との間に位置するようにキャビネット１の前面上部に配置されるキャビネット１の引出箱２の構造である。前面に取手部５を有する引出箱２の外部にトレイ１６を着脱可能に取り付けると共に、引出箱２の手前側に小物用収納凹所１５を設け、上記トレイ１６の深さＦを小物用収納凹所１５の深さＤよりも深くした。【選択図】        図１
2005143573.tif 000002
【特許請求の範囲】
【請求項１】
前面に開閉自在な扉が設けられたキャビネットの上部に天板を載設し、天板と扉との間に位置するようにキャビネットの前面上部に引出箱を配置したキャビネットの引出箱の構造であって、取手部付き前板を有する引出箱の外部にトレイを着脱可能に取り付けると共に、引出箱の手前側に小物用収納凹所を設け、上記トレイの深さを小物用収納凹所の深さよりも深くしたことを特徴とするキャビネットの引出箱の構造。
【請求項２】
上記引出箱の取手部付き前板の裏面の上端よりも低い位置に小物用収納凹所の手前側の上端縁を配置すると共に、取手部付き前板の裏面に対して小物用収納凹所の上端縁を段差状に突出させたことを特徴とする請求項１記載のキャビネットの引出箱の構造。
【請求項３】
上記引出箱の小物用収納凹所よりも後側に小物用収納凹所よりも深さの深い本体収納凹所を設け、本体収納凹所の横幅を小物用収納凹所の横幅よりも幅狭にすると共に、上記小物用収納凹所と本体収納凹所とのなすコーナー部に沿って平面視略三角形状のトレイ配置部を設けたことを特徴とする請求項１又は請求項２記載のキャビネットの引出箱の構造。
【請求項４】
上記引出箱の取手部付き前板がキャビネットの幕前板を兼ねると共に、取手部付き前板と引出箱の本体収納凹所と小物用収納凹所とを一体形成したことを特徴とする請求項１又は２又は３記載のキャビネットの引出箱の構造。
【発明の詳細な説明】
【技術分野】
【０００１】
本発明は、キャビネットに設けられるキャビネットの引出箱の構造に関し、詳しくは引出箱の収納スペースを増加させると共に、身づくろいする小物類を手の届き易い場所に並べて配置できるようにした技術に間するものである。
【背景技術】
【０００２】
従来から、例えば図９に示すように、前面に開閉自在な扉４が設けられたキャビネット１の上部に、洗面ボウル１３が設けられた天板３を載設し、天板３と扉４の前面上部との間の空間部に位置するように扉４の上端部に小物用収納部６２を設け、扉４を開いたときに小物用収納部６２が解放されるようにした洗面化粧台が知られている（例えば、特許文献１参照）
ところが従来例にあっては、扉４を開いて小物用収納部６２を解放して、中の小物を取り出すようにしている。このように小物用収納部６２は扉４と一体型であるために、小物用収納部６２を使用するときはいちいち扉４を開く必要があり、頻繁に使用する小物類の収納には適さなかった。またキャビネット１内における側板６と洗面ボウル１３との間の左右のスペースはそれぞれ未利用であり、キャビネット１内の空きスペースを有効利用できる構造とはなっていなかった。
【特許文献１】実開昭５７−３７３８８号公報
【発明の開示】
【発明が解決しようとする課題】
【０００３】
本発明は上記の従来の問題点に鑑みて発明したものであって、引出箱の収納スペースを増加させると共に、身づくろいする小物類を手の届き易い場所に並べて配置することができるキャビネットの引出箱の構造を提供することを課題とするものである。
【課題を解決するための手段】
【０００４】
上記課題を解決するために本発明にあっては、前面に開閉自在な扉４が設けられたキャビネット１の上部に天板３を載設し、天板３と扉４との間に位置するようにキャビネット１の前面上部に引出箱２を配置したキャビネット１の引出箱２の構造であって、取手部５付き前板１２ａを有する引出箱２の外部にトレイ１６を着脱可能に取り付けると共に、引出箱２の手前側に小物用収納凹所１５を設け、上記トレイ１６の深さＦを小物用収納凹所１５の深さＤよりも深くしたことを特徴としている。
【０００５】
このような構成とすることで、トレイ１６によって引出箱２の収納可能面積を増やすことができる。またヘアピン１８等の細長い小物は、引出箱２の手前側の浅い小物用収納凹所１５に寝かせて収納することにより引出箱２を少し引き出すだけでヘアピン１８等の出し入れを素早く且つ簡単にできる。また、口紅１９などの背の高い小物であって頻繁に使うものはトレイ１６に立て掛けて収納し、トレイ１６を引出箱２から取り外してキャビネット１の天板３に乗せて使用することが可能となり、このとき引出箱２を開いたままにする必要がない。従って、身づくろいする際に、引出箱２を開いてトレイ１６を取り出して天板３に乗せ、その後、引出箱２を少し戻して小物用収納凹所１５だけを使用できる状態にする。これにより、身づくろいに必要な小物類を手の届く範囲で整然と置くことができるようになり、しかも引出箱２を大きく引き出す必要がないため、引出箱２が邪魔になることもない。
【０００６】
また上記取手部５付き前板１２ａの裏面の上端よりも低い位置に小物用収納凹所１５の手前側の上端縁１５ａを配置すると共に、取手部５付き前板１２ａの裏面に対して小物用収納凹所１５の上端縁１５ａを段差状に突出させるのが好ましく、この場合、ヘアピン１８等の細い小物を小物用収納凹所１５に収納した場合において、ヘアピン１８をつまみ出す場合は、例えば、段差に親指の先を沿え、ひとさし指でヘアピン１８を手前に引き寄せることで親指との間で挟み付けることができ、ヘアピン１８でも片手で簡単につまみ出すことができ、引出箱２の利便性を改善できるものとなる。
【０００７】
また上記引出箱２の小物用収納凹所１５よりも後側に小物用収納凹所１５よりも深さＥの深い本体収納凹所１４を設け、本体収納凹所１４の横幅Ｂを小物用収納凹所１５の横幅Ｃ（＞Ｂ）よりも幅狭にすると共に、上記小物用収納凹所１５と本体収納凹所１４とのなすコーナー部６５に沿って平面視略三角形状のトレイ配置部を設けるのが好ましく、この場合、トレイ１６を引出箱２から大きく突出しないようにして配置できるようになり、収納量を増加させるものでありながらトレイ１６を含む引出箱２全体の形状をコンパクト化することができる。さらに小物用収納凹所１５の後側に本体収納凹所１４を設けたので、頻繁に使わないものやドライヤー等の大物類を深い後側収納凹所に収納できるようになる。
【０００８】
また上記引出箱２の取手部５付き前板１２ａがキャビネット１の幕前板１２を兼ねると共に、取手部５付き前板１２ａと引出箱２の本体収納凹所１４と小物用収納凹所１５とを一体形成するのが好ましく、この場合、引出箱２の構成部品の数を削減できるものである。
【発明の効果】
【０００９】
本発明にあっては、トレイによって引出箱の収納可能面積を増やすことができると共に、トレイを取り外してキャビネットの天板に乗せて使用し、またトレイを少し引き出して小物用収納凹所を使用可能とすることで、身づくろいに必要な小物類を手の届く範囲で整然と置くことができ、利便性が向上する。
【発明を実施するための最良の形態】
【００１０】
以下、本発明を添付図面に示す実施形態に基いて説明する。
【００１１】
本実施形態の洗面化粧台は、図１、図２に示すように、前面に開閉自在な扉４が設けられたキャビネット１の上部に、洗面ボウル１３が設けられた天板３が載設されている。そして、天板３と扉４との間に位置するようにキャビネット１の前面上部に幕前板１２が設置されている。この幕前板１２は、上端から下端になる程奥側に入り込むように傾斜しており、幕前板１２の両サイドに引出箱２がそれぞれ設けられている。さらに幕前板１２の下端と扉４の上端との間には幕板１１が架設されている。なお図１中の５４は天板３の止め金具である。
【００１２】
上記幕前板１２は中央部と両サイドとに３分割されており、幕前板１２の両サイドが、それぞれ引出箱２の取手部５付き前板１２ａを兼ねており、取手部５に手を掛けて引出箱２を手前に引き出せるようになっている。引出箱２は左右対称構造をしており、以下、右側の引出箱２について説明する。
【００１３】
引出箱２の前面は取手部５付き前板１２ａとなっており、引出箱２の一側面２ａにはその全長に亘ってＣ形突条部８が突設されている。一方、引出箱２の一側面２ａと対向するキャビネット１の側板６には、ガイドレール７が設置されている。このガイドレール７は、図２（ｂ）に示すように、引出箱２の一側面２ａに取り付けたＣ形突条部８内にスライド挿入される横向きＴ字状に形成されている。もちろんガイドレール７の形状はこれには限定されず、引出箱２の一側面２ａをキャビネット１の側板６により走行支持できる構造であれば特に問わない。
【００１４】
一方、引出箱２の他側面２ｂには、その略全長に亘って引き出し方向Ａに凹状又は凸状の滑りレール９が設けられると共に、キャビネット１の前面上部の幕板１１に上記滑りレール９を案内するピース状の滑り部材１０が設けられる。ここで、長尺の滑りレール９は、図８に示すように、長尺突起部３０とＬ形長尺取付部とが断面逆Ｔ字状に一体形成されており、Ｌ形長尺取付部を引出箱２の他側面２ｂ側の下端角部に沿って取り付けた状態で、長尺突起部３０が引出箱２の他側面２ｂよりも内側に向って水平方向に突出するようになっている。図８中の８０は引出箱２の側板、８１は底板である。一方、滑り部材１０は、幕板１１の厚みと同程度の奥行き寸法Ｍ（図８（ａ））を有する短尺ピース状に形成されており、横向きコ字形の凹溝部３１とそれよりも下方に突出する取付板１０ａとが一体形成されており、凹溝部３１に上記滑りレール９の長尺突起部３０が上下方向のガタツキのない拘束状態で遊嵌されており、取付板１０ａが幕板１１の後面にビス等で固定されている。これにより滑りレール９と滑り部材１０とを用いて引出箱２の他側面２ｂを案内できるようになっている。
【００１５】
なお図８の例では、長尺突起部３０を滑りレール９側に設け、凹溝部３１を滑り部材１０側に設けているが、これとは逆に、長尺突起部３０を滑り部材１０側に設け、凹溝部３１を滑りレール９側に設けることも可能である。また、滑り部材１０を幕板１１ではなく、幕前板１２側に取り付けてもよいものである。つまり、キャビネット１の前面上部に配置される幕板１１或いは幕前板１２のをいずれかを利用して引出箱２の滑りレール９を案内できることが可能である。
【００１６】
また上記引出箱２は、洗面ボウル１３を回避するように洗面ボウル１３のＲ形状に沿った平面視Ｌ字形に形成されている。引出箱２内には取手部５付き前板１２ａよりも横幅Ｂの狭い本体収納凹所１４が設けられており、この本体収納凹所１４と取手部５付き前板１２ａとの間には本体収納凹所１４よりも横幅Ｃ（＞Ｂ）の広い小物用収納凹所１５が設けられている。これら本体収納凹所１４と小物用収納凹所１５と取手部５付き前板１２ａとは一体に形成されている。ここで、本体収納凹所１４は洗面ボウル１３の横のスペースを有効利用するものであり、一方、小物用収納凹所１５は洗面ボウル１３の前方のスペースを有効利用するものである。
【００１７】
また、幕前板１２は上端から下端になる程奥側に入り込むように傾斜しており、幕前板１２の両サイドにおける取手部５付き前板１２ａも同様に傾斜している。この取手部５付き前板１２ａと引出箱２との間には、図４に示すように、側面視逆三角状のスペースが生じており、この逆三角状のスペースの下隅部は収納スペースとせず、それよりも上を側面視略Ｕ字状の小物用収納凹所１５としている。この小物用収納凹所１５の深さＤは本体収納凹所１４の深さＥよりも浅くなっている。なお本例では小物用収納凹所１５全体を一様に本体収納凹所１４よりも浅くしているが、これには限らず、他例として、小物用収納凹所１５の一部に深い収納凹所を設けたり、本体収納凹所１４の一部に浅い収納凹所を設けたりることも可能であり、要は、引出箱２と取手部５付き前板１２ａとの間に本体収納凹所１４よりも浅い小物用収納凹所１５が設けられていればよいものである。
【００１８】
さらに本発明にあっては、図１、図２、図３に示すように、引出箱２の外部にトレイ１６が引出箱２に対して着脱可能に取り付けられている。トレイ１６の深さＦは、小物用収納凹所１５の深さＤよりも深くしてある。例えば、５０ｍｍ〜７０ｍｍ程度とされる。トレイ１６を深めの形状にすることで、口紅１９のような細長い小物を倒れないように立てた状態で収納できるようになっている。さらにトレイ１６は引出箱２の本体収納凹所１４と小物用収納凹所１５とのなすコーナー部６５に沿って平面視略三角形状のトレイ配置部となっている。ここでは、トレイ１６は、洗面ボウル１３を回避する表面形状をしており、本例では平面視で略直角三角形状に形成されている。洗面ボウル１３のＲ形状によって生じる三角スペースに沿ってトレイ１６を収納できるようになっている。またトレイ１６の横辺及び縦辺の長さはコーナー部６５の縦横のサイズよりも短くなっている。このトレイ１６の上端側の３辺にはそれぞれ外向きフランジ状のリブ１６ａ，１６ｂが突設されており、直交する２辺のリブ１６ａ，１６ｂの各先端には、それぞれ、下方に向けて引っ掛け用フック１６ｃ，１６ｄが垂設されている。そして図５（ｂ）のように、一方の引っ掛け用フック１６ｄをコーナー部６５に面した小物用収納凹所１５の後部上端に引掛け、図５（ａ）のように、他方の引っ掛け用フックをコーナー部６５に面した本体収納凹所１４の前部上端に引掛けることで、トレイ１６の上端の２辺を簡易な引っ掛け方式で引出箱２に対して取り付け可能となっている。
【００１９】
また上記引出箱２の取手部５付き前板１２ａの裏面の上端よりも低い位置には、図７（ａ）に示すように、小物用収納凹所１５の手前側の上端縁１５ａが配置されており、取手部５付き前板１２ａの裏面に対して小物用収納凹所１５の上端縁１５ａを段差状に突出させてある。この段差部２０はヘアピン１８等の細い小物をつまみ出す際につまみ出しやすくする働きをする。
【００２０】
次に、本発明の引出箱２の使用例の一例を説明する。ヘアピン１８、櫛、アイシャドウ用ハケ等の細長い小物は、浅い小物用収納凹所１５に寝かせて収納する。これにより引出箱２を少し引き出すだけでヘアピン１８等の出し入れを素早く且つ簡単にできる。また、口紅１９などの背の高い小物であって頻繁に使うものはトレイ１６に立て掛けて収納する。使用時には図６のようにトレイ１６を引出箱２から取り外してキャビネット１の天板３に乗せて使用することができ、引出箱２を開いたままにする必要がない。またドライヤー等の大きい物は、後側の深い本体収納凹所１４に収納する。従って、身づくろいする際に、引出箱２を開いてトレイ１６を取り出して天板３に乗せ、その後、引出箱２を少し戻して小物用収納凹所１５だけを使用できる状態にする。これにより、身づくろいに必要な小物類を手の届く範囲で整然と置くことができるようになり、しかも本体収納凹所１４まで引き出す必要がないため、引出箱２が邪魔になることもない。また、ヘアピン１８等の細い小物をつまみ出す場合、図７（ｂ）のように段差に親指の先を沿え、ひとさし指でヘアピン１８を手前に引き寄せることで親指との間で挟み付けることができ、ヘアピン１８でも片手で簡単につまみ出すことができ、引出箱２の利便性を改善できるものとなる。
【００２１】
しかも、洗面ボウル１３のＲ形状によって生じる横のスペースと前のスペースを、引出箱２の本体収納凹所１４と小物用収納凹所１５とに活用できるので、引出箱２の収納可能面積を増やすことができる。しかも、取手部５付き前板１２ａは、上端から下端になる程奥側に入り込むように傾斜しているため、取手部５付き前板１２ａと引出箱２との間に形成される側面視逆三角状スペースを小物用収納凹所１５として利用でき、引出箱２の収納量を増加させることができる。しかも小物用収納凹所１５と本体収納凹所１４とのなすコーナー部６５に沿って平面視略三角形状のトレイ１６を収納したので、トレイ１６を引出箱２から大きく突出しないようにして配置できるようになり、収納量を増加させるものでありながらトレイ１６を含む引出箱２全体の形状をコンパクト化することができる。ここでは、トレイ１６がコーナー部６５よりも外側に大きくはみ出すことがないため、洗面ボウル１３のＲ形状に沿わせて配置できるようになる。さらに、トレイ１６を平面視直角三角形状とし、且つ直交する２辺にそれぞれ引っ掛け用フックを設けたので、１種類のトレイ１６で右側の引出箱２のコーナー部６５に取り付ける右使いの場合と、左側の引出箱２のコーナー部６５に取り付ける左使いの場合とに兼用できるようになり、トレイ１６の種類の増加を防止でき、且つ使い勝手も良くなる。さらに、取手部５付き前板１２ａと本体収納凹所１４と小物用収納凹所１５とが一体形成されているので、引出箱２の構成部品の数を削減できる利点があり、さらに小物用収納凹所１５の後側に本体収納凹所１４を設けることで、頻繁に使わないものやドライヤー等の大物類を深い後側収納凹所に収納可能となる。
【００２２】
また、トレイ１６を平面視直角三角形状にすることで、右側の引出箱２及び左側の引出箱２の各コーナー部６５に対して左使いと右使いとを兼用できるようになり、コスト面及び構造上において有利となる。
【図面の簡単な説明】
【００２３】
【図１】本発明の一実施形態の平面図である。
【図２】（ａ）は同上の正面図、（ｂ）は（ａ）のＸ部におけるガイドレールの説明図である。
【図３】同上の引出箱の収納状態と引き出し状態を説明する側面図である。
【図４】同上のガイドレールの説明図である。
【図５】（ａ）（ｂ）はトレイの引掛け状態の説明図である。
【図６】同上のトレイの使用説明図である。
【図７】（ａ）（ｂ）は同上の段差部を利用してヘアピンをつまみ出す動作の説明図である。
【図８】（ａ）は同上の滑りレールと滑り部材の平面図、（ｂ）は正面図である。
【図９】従来の斜視図である。
【符号の説明】
【００２４】
１  キャビネット
２  引出箱
３  天板
４  扉
５  取手部
１２  幕前板
１４  本体収納凹所
１５  小物用収納凹所
１６  トレイ
２０  小物用収納凹所の上端縁
Ｄ  小物用収納凹所の深さ
Ｅ  本体収納凹所の深さ
Ｆ  トレイの深さ
【図１】
2005143573.tif 000003
【図２】
2005143573.tif 000004
【図３】
2005143573.tif 000005
【図４】
2005143573.tif 000006
【図５】
2005143573.tif 000007
【図６】
2005143573.tif 000008
【図７】
2005143573.tif 000009
【図８】
2005143573.tif 000010
【図９】
2005143573.tif 000011